(57)【要約】【課題】消費電力を低減できる空気調和機を提供する。【解決手段】空気調和機は、圧縮機（２１）、室外熱交換器（２３）、膨張機構（２４）及び室内熱交換器（１１）が環状に接続され、冷媒が循環する冷媒回路（ＲＣ）と、室内熱交換器（１１）の冷媒経路の途中に配設された制御弁（１３）と、冷媒回路（ＲＣ）を制御する制御部（１００）とを備る。制御部（１００）は、室内熱交換器（１１）において制御弁（１３）よりも上流側の部分を凝縮域とする一方、室内熱交換器（１１）において制御弁（１３）よりも下流側の部分を蒸発域とする第１除湿運転を実行できるように構成されている。第１除湿運転における制御弁（１３）の開度は、空気流量が１０Ｌ／ｍｉｎ未満に相当する開度である。【選択図】図１
2020070981.tif 000002
【特許請求の範囲】
【請求項１】
圧縮機（２１）、室外熱交換器（２３）、膨張機構（２４）及び室内熱交換器（１１）が環状に接続され、冷媒が循環する冷媒回路（ＲＣ）と、
上記室内熱交換器（１１）の冷媒経路の途中に配設された制御弁（１３）と、
上記冷媒回路（ＲＣ）を制御する制御部（１００）と
を備え、
上記制御部（１００）は、上記室内熱交換器（１１）において上記制御弁（１３）よりも上流側の部分を凝縮域とする一方、上記室内熱交換器（１１）において上記制御弁（１３）よりも下流側の部分を蒸発域とする第１除湿運転を実行できるように構成されており、
上記第１除湿運転における上記制御弁（１３）の開度は、空気流量が１０Ｌ／ｍｉｎ未満に相当する開度であることを特徴とする空気調和機。
【請求項２】
請求項１に記載の空気調和機において、
上記第１除湿運転における上記制御弁（１３）の開度は、空気流量が５Ｌ／ｍｉｎ以下に相当する開度であることを特徴とする空気調和機。
【請求項３】
請求項１又は２に記載の空気調和機において、
上記第１除湿運転における上記制御弁（１３）の開度は、空気流量が３．５Ｌ／ｍｉｎ以上に相当する開度であることを特徴とする空気調和機。
【請求項４】
請求項１から３のいずれか１項に記載の空気調和機において、
上記室外熱交換器（２３）に空気を供給する室外ファン（２６）を備え、
上記制御部（１００）は、上記室内熱交換器（１１）の実質的に全部を蒸発域にする第２除湿運転を実行できるように構成されており、
上記第１除湿運転を行うときの上記室外ファン（２６）の回転数の下限値は、上記第２除湿運転を行うときの上記室外ファン（２６）の回転数の下限値よりも低いことを特徴とする空気調和機。
【請求項５】
請求項１から３のいずれか１項に記載の空気調和機において、
上記制御部（１００）は、上記室内熱交換器（１１）の実質的に全部を蒸発域にする第２除湿運転を実行できるように構成されており、
上記第１除湿運転を行うときの上記圧縮機（２１）の運転周波数の下限値は、上記第２除湿運転を行うときの上記圧縮機（２１）の運転周波数の下限値と実質的に等しいことを特徴とする空気調和機。
【発明の詳細な説明】
【技術分野】
【０００１】
本開示は、空気調和機に関する。
【背景技術】
【０００２】
従来の空気調和機としては、冷房モードとして、通常冷房モード、過絞り冷房モード、冷房時再熱ドライモードを有するものがある（特許文献１参照）。
【先行技術文献】
【特許文献】
【０００３】
【特許文献１】特開２００４−１０８６１８号公報
【発明の概要】
【発明が解決しようとする課題】
【０００４】
しかし、上記従来の空気調和機では、冷房時再熱ドライモードでの除湿能力を確保するために、圧縮機の運転周波数を高くする必要があるため、消費電力が大きいという問題がある。
【０００５】
本開示は、消費電力を抑制できる空気調和機を提案する。
【課題を解決するための手段】
【０００６】
本開示の空気調和機は、
圧縮機、室外熱交換器、膨張機構及び室内熱交換器が環状に接続され、冷媒が循環する冷媒回路と、
上記室内熱交換器の冷媒経路の途中に配設された制御弁と、
上記冷媒回路を制御する制御部と
を備え、
上記制御部は、上記室内熱交換器において上記制御弁よりも上流側の部分を凝縮域とする一方、上記室内熱交換器において上記制御弁よりも下流側の部分を蒸発域とする第１除湿運転を実行できるように構成されており、
上記第１除湿運転における上記制御弁の開度は、空気流量が１０Ｌ／ｍｉｎ未満に相当する開度であることを特徴とする。
【０００７】
本開示によれば、第１除湿運転における制御弁の開度は、空気流量が１０Ｌ／ｍｉｎ未満に相当する開度であるので、第１除湿運転における制御弁の開度が、空気流量が１０Ｌ／ｍｉｎ以上に相当する開度である場合と比較して、冷媒回路の高圧と低圧との差圧が大きくなり、第１除湿運転における室内熱交換器の蒸発域での冷媒の蒸発温度を低下できるので、除湿能力を向上できる。このため、第１除湿運転における制御弁の開度が、空気流量が１０Ｌ／ｍｉｎ以上に相当する開度である場合の圧縮機の運転周波数よりも低い運転周波数で圧縮機を運転しても、第１除湿運転における制御弁の開度が、空気流量が１０Ｌ／ｍｉｎ以上に相当する開度である場合と同程度の除湿能力を確保できるので、第１除湿運転に必要な消費電力を抑制できる。
【０００８】
一実施形態の空気調和機では、上記第１除湿運転における上記制御弁の開度は、空気流量が５Ｌ／ｍｉｎ以下に相当する開度である。
【０００９】
一実施形態の空気調和機では、上記第１除湿運転における上記制御弁の開度は、空気流量は、３．５Ｌ／ｍｉｎ以上に相当する開度である。
【００１０】
上記実施形態によれば、第１除湿運転における絞り状態の制御弁の開度は、空気流量が３．５Ｌ／ｍｉｎ以上に相当する開度であるので、第１除湿運転における絞り状態の制御弁の開度が、空気流量が３．５Ｌ／ｍｉｎ未満に相当する開度である場合と比較して、第１除湿運転における制御弁での冷媒の流れの閉塞（所謂チョーキング）を抑制できる。
【００１１】
一実施形態の空気調和機は、
上記室外熱交換器に空気を供給する室外ファンを備え、
上記制御部は、上記室内熱交換器の実質的に全部を蒸発域にする第２除湿運転を実行できるように構成されており、
上記第１除湿運転を行うときの上記室外ファンの回転数の下限値は、上記第２除湿運転を行うときの上記室外ファンの回転数の下限値よりも低い。
【００１２】
上記実施形態によれば、第１除湿運転を行うときの室外ファンの回転数の下限値が、第２除湿運転の室外ファンの回転数の下限値よりも低いので、第１除湿運転での室外ファンの消費電力を第２除湿運転での室外ファンの消費電力よりも抑制できる。
【００１３】
一実施形態の空気調和機では、
上記第１除湿運転を行うときの上記圧縮機の運転周波数の下限値は、上記第２除湿運転を行うときの上記圧縮機の運転周波数の下限値と実質的に等しい。
【００１４】
上記実施形態によれば、第１除湿運転の圧縮機の運転周波数の下限値と第２除湿運転の圧縮機の運転周波数の下限値とが実質的に等しいため、第１除湿運転での圧縮機の消費電力を第２除湿運転での圧縮機の消費電力と同程度まで抑制できる。
【図面の簡単な説明】
【００１５】
【図１】本開示の第１実施形態の空気調和器の冷媒回路の回路図である。
【図２】上記空気調和機の制御ブロック図である。
【図３】上記空気調和機の冷房除湿運転を説明するための模式図である。
【図４】上記空気調和機の過絞り除湿運転を説明するための模式図である。
【図５】上記空気調和機の再熱除湿運転を説明するための模式図である。
【発明を実施するための形態】
【００１６】
以下、本開示の空気調和器を、図示の実施の形態により詳細に説明する。
〔第１実施形態〕
【００１７】
図１は、本開示の第１実施形態の空気調和器が備える冷媒回路ＲＣの回路図である。
【００１８】
上記空気調和機は、空調対象である室内に設置される室内機１と、室外に設置される室外機２とを備える。
【００１９】
室内機１は、例えば、室内の壁面に取り付けられる壁掛け式の室内ユニットである。この室内機１は、室内熱交換器１１と、この室内熱交換器１１に空気を送る室内ファン１２と、室内熱交換器１１の温度を検出する室内熱交換器温度センサ５１と、室内温度を検出する室内温度センサ５２と、室内湿度を検出する室内湿度センサ５３とを有する。
【００２０】
室内熱交換器１１は、室内ファン１２による空気流に関して、室内ファン１２よりも上流側に位置している。この室内熱交換器１１は、室内ファン１２からの空気と冷媒との熱交換を行うために、本体熱交換部１１ａと、補助熱交換部１１ｂと、制御弁の一例としての電磁弁１３とを有する。
【００２１】
本体熱交換部１１ａは、室内ユーザ側に位置する正面部１１ａ−１と、室内ユーザ側とは反対側に位置する背面部１１ａ−２とから成っている。また、正面部１１ａ−１は、冷媒配管Ｌ１，Ｌ２および電磁弁１３を介して背面部１１ａ−２に流体的に接続されている。これにより、膨張弁２４から本体熱交換部１１ａへ流れる冷媒は、正面部１１ａ−１を流れた後、背面部１１ａ−２に流入することが可能となっている。
【００２２】
補助熱交換部１１ｂは、本体熱交換部１１ａの正面部１１ａ−１に関して本体熱交換部１１ａの背面部１１ａ−２側とは反対側に設けられている。すなわち、補助熱交換部１１ｂは、本体熱交換部１１ａの正面部１１ａ−１よりも、室内ユーザ側に位置する。この補助熱交換部１１ｂは、本体熱交換部１１ａよりも、容積が小さい。また、補助熱交換部１１ｂは、冷媒配管Ｌ１１を介して本体熱交換部１１ａの正面部１１ａ−１に流体的に接続されている。これにより、膨張弁２４側からの冷媒は、補助熱交換部１１ｂを介して、本体熱交換部１１ａに供給される。このように、補助熱交換部１１ｂは、冷媒配管Ｌ３と冷媒配管Ｌ１１との間の冷媒パスを有するものと言える。
【００２３】
室内ファン１２としては、例えば、クロスフローファンが採用される。このクロスフローファンは、室内熱交換器１１で温度などが調整された空気を室内に向けて吹き出す。
【００２４】
電磁弁１３は、室内熱交換器１１の冷媒パス（冷媒経路）の中間部に設けられている。より詳しく説明すると、本体熱交換部１１ａの正面部１１ａ−１側と本体熱交換部１１ａの背面部１１ａ−２側との間に差圧を設定するための弁である。電磁弁１３は、大開度および小開度の２位置のみを取ることが可能なオンオフ弁であり、必要時(例えば、後述する再熱除湿運転時)にオンされ、大開度の位置から小開度の位置に切り替えられる。電磁弁１３の小開度は、空気流量が１０Ｌ／ｍｉｎ未満に相当する開度となるように構成されている。具体的には、本実施形態の電磁弁１３の小開度は、空気流量が４．５Ｌ／ｍｉｎに相当する開度である。また、電磁弁１３の小開度は、空気流量が５Ｌ／ｍｉｎ以下に相当する開度であれば好ましい。さらに、電磁弁１３の小開度は、空気流量が３．５Ｌ／ｍｉｎ以上に相当する開度であれば好ましい。
【００２５】
室外機２は、圧縮機２１と、四路切換弁２２と、室外熱交換器２３と、膨張機構の一例としての膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７と、膨張弁２４で減圧された冷媒の温度(蒸発温度)を検出する冷媒温度センサ５８とを有する。
【００２６】
室外熱交換器２３は、室外ファン２６による空気流に関して、室外ファン２６よりも下流側に位置している。室外熱交換器２３内を流れる冷媒は、室内ファン１２からの空気と熱交換する。
【００２７】
膨張弁２４は、互いに異なる３以上の開度に調整可能な例えば電動弁であって、制御装置１００(図２に示す)からの信号に応じて開度が変化する。
【００２８】
また、上記空気調和器の冷媒回路ＲＣは、室内熱交換器１１、圧縮機２１、四路切換弁２２、室外熱交換器２３、膨張弁２４、アキュムレータ２５および冷媒配管Ｌ３〜Ｌ９から成っている。より詳しく説明すると、室内熱交換器１１、圧縮機２１、四路切換弁２２、室外熱交換器２３、膨張弁２４およびアキュムレータ２５が、冷媒配管Ｌ３〜Ｌ９によって流体的に接続される。これにより、環状の冷媒回路ＲＣが構成されている。このような冷媒回路ＲＣにおいて、圧縮機２１の駆動時、冷媒が循環する。
【００２９】
また、図示しないが、上記空気調和機は、リモートコントローラ(以下、「リモコン」と言う。)を備える。ユーザは、リモコンを操作して、自動運転、冷房運転、暖房運転、除湿運転などを開始させたり、停止させたりすることができる。
【００３０】
図２は、上記空気調和機の制御ブロック図である。
【００３１】
上記空気調和機は、冷媒回路ＲＣを制御する制御装置１００を備える。より詳しく説明すると、制御装置１００は、マイクロコンピュータ、入出力回路などから成っている。この制御装置１００が、室内熱交換器温度センサ５１、室内温度センサ５２、室内湿度センサ５３、室外熱交換器温度センサ５６、外気温度センサ５７、冷媒温度センサ５８などからの信号に基づいて、圧縮機２１、四路切換弁２２、膨張弁２４、室外ファン２６、室内ファン１２、電磁弁１３などを制御する。なお、制御装置１００は制御部の一例である。
【００３２】
また、制御装置１００は、冷房除湿運転を行う冷房除湿運転制御部１００ａと、過絞り除湿運転を行う過絞り除湿運転制御部１００ｂと、再熱除湿運転を行う再熱除湿運転制御部１００ｃとを有する。この冷房除湿運転制御部１００ａ、過絞り除湿運転制御部１００ｂおよび再熱除湿運転制御部１００ｃは、それぞれ、ソフトウェアにより構成されている。なお、上記再熱除湿運転は、第１除湿運転の一例である。また、上記冷房除湿運転は、第２除湿運転の一例である。
【００３３】
［冷房除湿運転］
上記冷房除湿運転は、図１に示すように、四路切換弁２２を実線の切換え位置に切り換えると共に、圧縮機２１を起動することで、開始される。この冷房除湿運転中、圧縮機２１から吐出された高温高圧の冷媒が四路切換弁２２を介して室外熱交換器２３に流入する。そして、室外熱交換器２３で凝縮した冷媒は、膨張弁２４で減圧された後、室内熱交換器１１の補助熱交換部１１ｂと、室内熱交換器１１の本体熱交換部１１ａとに、この順で流入する。この本体熱交換部１１ａおよび補助熱交換部１１ｂで蒸発した冷媒が四路切換弁２２およびアキュムレータ２５を介して圧縮機２１の吸入側に戻る。このように、冷媒が冷媒回路ＲＣを循環するとき、冷房除湿運転制御部１００ａが、圧縮機２１の周波数と膨張弁２４の開度とを調整すると共に、電磁弁１３をオフにすることで、図３に示すように、室内熱交換器１１の全部を実質的に蒸発域(図３において斜線のハッチングを付した領域)とする。これにより、上記冷房除湿運転は、室内温度を変化させるための能力である顕熱能力が高くなる。
【００３４】
ここで、室内熱交換器１１の全部を実質的に蒸発域にするとは、室内熱交換器１１の全部を蒸発域にするときだけでなく、室内熱交換器１１において一部を除いた部分だけを蒸発域にするときも含む。この一部(例えば、室内熱交換器１１の全容積の１／３以下の部分)だけが蒸発域とならないときとしては、例えば、室内環境などによって、室内熱交換器１１の冷媒出口近傍の部分が過熱域となるときなどがある。
【００３５】
［過絞り除湿運転］
上記過絞り除湿運転は、上記冷房除湿運転のときと同じ方向に冷媒を流す。このとき、過絞り除湿運転制御部１００ｂが、圧縮機２１の周波数と膨張弁２４の開度とを調整すると共に、電磁弁１３をオフにすることで、室内熱交換器１１の上流側の一部を蒸発域とする一方、室内熱交換器１１の残りの部分を過熱域とする。例えば、過絞り除湿運転制御部１００ｂは、図４に示すように、補助熱交換部１１ｂを蒸発域(斜線のハッチングを付した領域)にする一方、本体熱交換部１１ａの正面部１１ａ−１および背面部１１ａ−２を過熱域(点のハッチングを付した領域)にする。これにより、上記過絞り除湿運転は、冷房除湿運転よりも顕熱能力が低くなるので、室内の熱負荷が高くも低くもないとき、室温の低下を抑制しつつ、室内の除湿を行える。図４では、補助熱交換部１１ｂの全部が蒸発域となるように描かれているが、補助熱交換部１１ｂの一部だけを蒸発域にすることも可能である。すなわち、上記蒸発域は、容積を変更することが可能な可変領域である。
【００３６】
また、上記圧縮機２１および膨張弁２４は、過絞り除湿運転中、蒸発域の容積が負荷に応じて変化するように制御される。例えば、過絞り除湿運転制御部１００ｂは、過絞り除湿運転中、蒸発域が所定容積(例えば、室内熱交換器１１の全容積の２／３)以下となるように、圧縮機２１および膨張弁２４を制御する。
【００３７】
ここで、上記負荷に応じて変化するとは、室内から蒸発域に供給される熱量に応じて変化することであって、その熱量は例えば室内温度(室内機１が吸い込む空気の温度)と室内風量(室内機１が吹き出す風の量)によって決まる。また、上記負荷は、必要除湿能力(必要冷房能力)に対応しており、例えば、室内温度と設定温度との差に基づいて検知できる。なお、上記設定温度としては、予め設定された温度、または、ユーザがリモコンで設定した温度が用いられる。
【００３８】
過絞り除湿運転制御部１００ｂの制御は、過絞り除湿運転の蒸発温度は、冷房除湿運転の蒸発温度よりも低くなるように行われる。このとき、膨張弁２４の開度は、通常、冷房除湿運転中の膨張弁２４の開度よりも小さくなる。
【００３９】
［再熱除湿運転］
上記再熱除湿運転は、上記冷房除湿運転のときと同じ方向に冷媒を流す。このとき、再熱除湿運転制御部１００ｃが、圧縮機２１の周波数と膨張弁２４の開度とを調整すると共に、電磁弁１３をオンにすることで、室内熱交換器１１において電磁弁１３よりも上流側の少なくとも一部を凝縮域にする一方、室内熱交換器１１において電磁弁１３より下流側の少なくとも一部を蒸発域とする。例えば、再熱除湿運転制御部１００ｃは、図５に示すように、補助熱交換部１１ｂと本体熱交換部１１ａの正面部１１ａ−１とを凝縮域(格子のハッチングを付した領域)にする一方、本体熱交換部１１ａの背面部１１ａ−２を蒸発域(斜線のハッチングを付した領域)にする。これにより、上記再熱除湿運転は、過絞り除湿運転よりも顕熱能力が低くなるので、室内の熱負荷が低いとき、室温の低下を抑制しつつ、室内の除湿を行える。
【００４０】
再熱除湿運転制御部１００ｃの制御は、再熱除湿運転の蒸発温度が過絞り除湿運転の蒸発温度よりも低くなるように行われる。このとき、膨張弁２４の開度は、過絞り除湿運転中における膨張弁２４の最大開度よりも大きい開度に固定される。
【００４１】
また、上記再熱除湿運転では、電磁弁１３は、小開度の位置に切り替えられる。すなわち、上記再熱除湿運転における電磁弁１３の開度は、空気流量が１０Ｌ／ｍｉｎ未満に相当する開度である。上記再熱除湿運転における電磁弁１３の開度は、空気流量が５Ｌ／ｍｉｎに相当する開度であれば好ましい。さらに、上記再熱除湿運転における電磁弁１３の開度は、空気流量が３．５Ｌ／ｍｉｎに相当する開度であれば好ましい。ここで、「上記再熱除湿運転における電磁弁１３の開度が、空気流量が１０Ｌ／ｍｉｎ未満に相当する開度である」とは、上記開度において冷媒回路ＲＣを流れる空気流量が１０Ｌ／ｍｉｎ未満であることをいうのではなく、電磁弁１３の流量特性から求められる上記開度における空気流量が１０Ｌ／ｍｉｎ未満であることをいう。
【００４２】
再熱除湿運転制御部１００ｃは、上記再熱除湿運転を行うときの室外ファン２６の回転数の下限値が上記冷房除湿運転を行うときの室外ファン２６の回転数の下限値よりも低くなるように、室外ファン２６を制御する。例えば、本実施形態において、上記再熱除湿運転における室外ファン２６の回転数の下限値は、１５０ｒｐｍであり、上記冷房除湿運転における室外ファン２６の回転数の下限値は、３００ｒｐｍである。
【００４３】
また、再熱除湿運転制御部１００ｃは、上記再熱除湿運転を行うときの圧縮機２１の運転周波数（以下、単に「周波数」という）の下限値と、上記冷房除湿運転を行うときの圧縮機２１の周波数の下限値とが実質的に等しくなるように、圧縮機２１を制御する。上記再熱除湿運転を行うときの圧縮機２１の周波数の下限値と、上記冷房除湿運転を行うときの圧縮機２１の周波数の下限値とが実質的に等しいとは、上記再熱除湿運転を行うときの圧縮機２１の周波数の下限値と、上記冷房除湿運転を行うときの圧縮機２１の周波数の下限値との差の絶対値が、上記冷房除湿運転を行うときの圧縮機２１の周波数の上限値と下限値との差の例えば１５％以内であることを含む。本実施形態では、上記再熱除湿運転を行うときの圧縮機２１の周波数の下限値は、１０Ｈｚである。また、上記冷房除湿運転を行うときの圧縮機２１の周波数の下限値は、４Ｈｚであり、上記冷房除湿運転を行うときの圧縮機２１の周波数の上限値は、６２Ｈｚである。
【００４４】
また、再熱除湿運転制御部１００ｃは、上記再熱除湿運転を行うときの室内ファン１２の回転数の下限値が、上記冷房除湿運転を行うときの室内ファン１２の回転数の下限値よりも高くなるように室内ファン１２を制御する。例えば、本実施形態において、上記再熱除湿運転における室内ファン１２の回転数の下限値は、７５０ｒｐｍであり、上記冷房除湿運転における室内ファン１２の回転数の下限値は、５００ｒｐｍである。
【００４５】
上記冷房除湿運転、過絞り除湿運転または再熱除湿運転は、リモコンの除湿運転のボタンの押下に応じて開始するようになっている。より詳しく説明すると、上記除湿運転のボタが押下されると、例えば顕熱比に基づいて、冷房除湿運転、過絞り除湿運転および再熱除湿運転のうちの一つの除湿運転が自動的に選択されて開始する。その後、上記顕熱比の変化に応じて、他の除湿運転に自動的に切り替わる。なお、上記顕熱比とは、全熱(＝顕熱＋潜熱)に対する顕熱の比を指す。
【００４６】
また、再熱除湿運転から、冷房除湿運転又は過絞り除湿運転に切り替わるとき、制御装置１００は、室外ファン２６が再熱除湿運転における回転数の上限値で運転されるように、室外ファン２６を制御する。これにより、冷媒回路ＲＣの高圧と低圧の差圧が小さくなり、再熱除湿運転から冷房除湿運転又は過絞り除湿運転に切り替わるときに電磁弁１３が開きやすくなる。
【００４７】
本開示によれば、上記再熱除湿運転における電磁弁１３の開度は、空気流量が１０Ｌ／ｍｉｎ未満に相当する開度であるので、上記再熱除湿運転における電磁弁１３の開度が、空気流量が１０Ｌ／ｍｉｎ以上に相当する開度である場合と比較して、冷媒回路ＲＣの高圧と低圧との差圧が大きくなり、上記再熱除湿運転における室内熱交換器１１の蒸発域（本体熱交換部１１ａの背面部１１ａ−２）での冷媒の蒸発温度を低下できるため、除湿能力を向上できる。その結果、上記再熱除湿運転における電磁弁１３の開度が、空気流量が１０Ｌ／ｍｉｎ以上に相当する開度である場合の圧縮機２１の周波数よりも低い周波数で圧縮機２１を運転しても、上記再熱除湿運転における電磁弁１３の開度が、空気流量が１０Ｌ／ｍｉｎ以上に相当する開度である場合と同程度の除湿能力を確保できるので、上記再熱除湿運転に必要な消費電力を抑制できる。
【００４８】
上記実施形態によれば、上記再熱除湿運転における電磁弁１３の開度は、空気流量が３．５Ｌ／ｍｉｎ以上に相当する開度であるので、上記再熱除湿運転における電磁弁１３の開度が、空気流量が３．５Ｌ／ｍｉｎ未満に相当する開度である場合と比較して、上記再熱除湿運転で電磁弁１３における冷媒の流れの閉塞（所謂チョーキング）を抑制できる。
【００４９】
上記実施形態によれば、上記再熱除湿運転を行うときの室外ファン２６の回転数の下限値が、上記冷房除湿運転の室外ファン２６の回転数の下限値よりも低いので、上記再熱除湿運転での室外ファン２６の消費電力を上記冷房除湿運転での室外ファン２６の消費電力よりも抑制できる。
【００５０】
上記実施形態によれば、上記再熱除湿運転の圧縮機２１の周波数の下限値と上記冷房除湿運転の圧縮機２１の周波数の下限値とが実質的に等しいため、上記再熱除湿運転での圧縮機の消費電力を上記冷房除湿運転での圧縮機２１の消費電力と同程度まで抑制できる。
【００５１】
以上、実施形態を説明したが、特許請求の趣旨及び範囲から逸脱することなく、形態や詳細の多様な変更が可能なことが理解されるであろう。
【００５２】
例えば、上記実施形態では、本体熱交換部１１ａの正面部１１ａ−１側と本体熱交換部１１ａの背面部１１ａ−２側との間に、電磁弁１３を設けていたが、互いに異なる３以上の開度に調整可能な電動弁を制御弁の一例として設けてもよい。この場合、再熱除湿運転制御部１００ｃの制御は、上記再熱除湿運転における制御弁の開度での空気流量が１０Ｌ／ｍｉｎ未満となるように行われる。
【符号の説明】
【００５３】
１  室内機
２  室外機
１１  室内熱交換器
１１ａ  本体熱交換部
１１ａ−１  正面部
１１ａ−２  背面部
１１ｂ  補助熱交換部
１２  室内ファン
１３  電磁弁
２１  圧縮機
２２  四路切換弁
２３  室外熱交換器
２４  膨張弁
２５  アキュムレータ
２６  室外ファン
５１  室内熱交換器温度センサ
５２  室内温度センサ
５３  室内湿度センサ
５６  室外熱交換器温度センサ
５７  外気温度センサ
５８  冷媒温度センサ
１００  制御装置
１００ａ  冷房除湿運転制御部
１００ｂ  過絞り除湿運転制御部
１００ｃ  再熱除湿運転制御部
ＲＣ  冷媒回路
【図１】
2020070981.tif 000003
【図２】
2020070981.tif 000004
【図３】
2020070981.tif 000005
【図４】
2020070981.tif 000006
【図５】
2020070981.tif 000007